(57)【特許請求の範囲】
【請求項１】
平板状の周辺部に配置されるコネクタを有する端子取付板であって、
前記平板状の周辺部に切り欠きを有し、
当該切り欠きに沿って、前記コネクタが取り付け済みのケーブルを挿入し、前記コネクタが固定可能であることを特徴とする端子取付板。
【請求項２】
前記切り欠きは、前記平板状の周辺部に複数形成されていることを特徴とする請求項１に記載の端子取付板。
【請求項３】
前記端子取付板は、筐体あるいはアンテナカバーの下蓋であることを特徴とする請求項１または請求項２に記載の端子取付板。
【発明の詳細な説明】
【技術分野】
【０００１】
本発明は、端子取付板に係わり、特に、ケーブルが取り付けられたコネクタを固定する際に有効な技術に関する。
【背景技術】
【０００２】
無線通信、放送設備などにおいて、多くのアンテナが使用されている。これらのアンテナでは、風・雨・雪により、アンテナの電気的特性が変動する。そして、アンテナの電気的特性が変動すると、無線通信および放送が中断する場合がある。そのため、各種のアンテナでは、例えば、下記特許文献１等に開示されているように、風・雨・雪からアンテナを保護するためのアンテナカバーが使用されている。
図４は、従来のアンテナカバーを説明するための模式図である。なお、この図４は、特許文献１に図６として図示されているものである。
図４において、２０はアンテナカバーであり、アンテナカバー２０は、取り付け金具２１により支柱２２に取り付けられる。アンテナカバー２０内には、例えば、携帯電話機などの基地局アンテナが収納される。
【先行技術文献】
【特許文献】
【０００３】
【特許文献１】特開２００８−２１１３２４号公報
【発明の概要】
【発明が解決しようとする課題】
【０００４】
例えば、図４などに示すアンテナカバー２０は、上蓋と、円筒部分と、端子取付板（下蓋ともいう）で構成される。そして、端子取付板には、コネクタ（あるいは、同軸接栓）が取り付けられる。
従来のアンテナカバー２０では、端子取付板にコネクタを固定する場合は、端子取付板に形成された取り付け用の孔に、先にケーブルを通す必要があり、従来の端子取付板では、両端にコネクタが取り付けられたケーブルを、後付けすることができないという問題点があった。
また、端子取付板に、固定用の曲げ加工をする必要があるので、端子取付板の周辺部にコネクタを配置することができなかった。そのため、端子取付板に取り付けるコネクタの個数が限定されるという問題点もあった。
本発明は、前記従来技術の問題点を解決するためになされたものであり、本発明の目的は、作業性がよく、ケーブルに取り付け済みのコネクタを、狭いスペースに複数取り付け可能なコネクタ端子取付板を提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
（１）平板状の周辺部に配置されるコネクタを有する端子取付板であって、前記平板状の周辺部に切り欠きを有し、当該切り欠きに沿って、前記コネクタが取り付け済みのケーブルを挿入し、前記コネクタが固定可能である。
（２）（１）において、前記切り欠きは、前記平板状の周辺部に複数形成されている。
（３）（１）または（２）において、前記端子取付板は、筐体あるいはアンテナカバーの下蓋である。
【発明の効果】
【０００６】
本願において開示される発明のうち代表的なものによって得られる効果を簡単に説明すれば、下記の通りである。
本発明によれば、作業性がよく、ケーブルに取り付け済みのコネクタを、狭いスペースに複数取り付け可能なコネクタ端子取付板を提供することが可能となる。
【図面の簡単な説明】
【０００７】
【図１】本発明の実施例の端子取付板が適用されるアンテナカバーを説明するための模式図である。
【図２】本発明の実施例の端子取付板を説明するための図である。
【図３】従来の端子取付板を説明するための図である。
【図４】従来のアンテナカバーを説明するための模式図である。
【発明を実施するための形態】
【０００８】
以下、図面を参照して本発明の実施例を詳細に説明する。
なお、実施例を説明するための全図において、同一機能を有するものは同一符号を付け、その繰り返しの説明は省略する。また、以下の実施例は、本発明の特許請求の範囲の解釈を限定するためのものではない。
［本発明の端子取付板が適用されるアンテナカバー］
図１は、本発明の実施例の端子取付板が適用されるアンテナカバーを説明するための模式図である。図１に示すように、本発明の実施例の端子取付板が適用されるアンテナカバー２０は、上蓋１と、円筒部分２と、端子取付板（下蓋ともいう）３とで構成される。
図１に示すアンテナカバー２０において、上蓋１の内部に円筒部分２を挿入した後、上蓋１の側面部に形成されたネジ孔と、円筒部分２の側面に形成されたネジ孔とに挿入されるネジにより、上蓋１は円筒部分２に固定される。また、円筒部分２の内部には、携帯電話機などの基地局アンテナが収納される。同様に、円筒部分２の内部に端子取付板３を挿入した後、円筒部分２の側面に形成されたネジ孔と、端子取付板３の側面部に形成されたネジ孔とに挿入されるネジにより、端子取付板３は円筒部分２に固定される。ここで、上蓋１は、強化プラスチックや、アルミなどの金属材料で構成され、円筒部分２は、強化プラスチックで構成される。
【０００９】
［従来の端子取付板の問題点］
本実施例の端子取付板について説明する前に、従来の端子取付板の問題点について説明する。
図３は、従来の端子取付板３Ｂを説明するための図であり、同図（ａ）は斜視図、同図（ｂ）は、コネクタ４の部分を拡大して示す拡大図である。
図３において、４はコネクタ（または、同軸接線）、５はケーブルを通すための孔、６ケーブル、８，９はネジ孔、１３は側面部である。
ここで、図３に示す従来の端子取付板３Ｂは、アルミニウムで構成され、円筒部分２の内部に端子取付板３Ｂを挿入した後、円筒部分２の側面に形成されたネジ孔と、端子取付板３Ｂの側面部１３に形成されたネジ孔８とに挿入されるネジにより、端子取付板３Ｂは円筒部分２に固定される。
また、コネクタ４は、端子取付板３Ｂに形成されたネジ孔９と、コネクタ４自身に形成されたネジ孔１０とに挿入されるネジにより、コネクタ４は端子取付板３Ｂに固定される。
図３に示す従来の端子取付板３Ｂにおいて、コネクタ４を固定する場合には、ケーブル６を通すための孔５に、先にケーブル６を通す必要がある。そのため、図３に示す従来の端子取付板３Ｂでは、両端にコネクタ４が取り付けられたケーブル６を、端子取付板３Ａに後付けすることができなかった。
また、端子取付板３Ａに、固定用の曲げ加工をする必要があるので、端子取付板３Ａの周辺部にコネクタ４を配置することができないので、端子取付板３Ｂに取り付けるコネクタ４の個数が限定されるという問題点もあった。
【００１０】
［実施例］
図２は、本発明の実施例の端子取付板を説明するための図であり、同図（ａ）は斜視図、同図（ｂ）は、コネクタ４の部分を拡大して示す拡大図である。
図２に示すように、本実施例では、ケーブル６を通すための孔５に代えて、端子取付板３Ａの周辺部に、ケーブル６を横から通すための切り欠き７を形成したことを特徴とする。また、本実施例では、端子取付板３Ａの周辺部に複数の突起部１４を形成し、円筒部分２の内部に端子取付板３Ａを挿入した後、円筒部分２の側面に形成されたネジ孔と、端子取付板３Ｂの突起部１４に形成されたネジ孔８とに挿入されるネジにより、端子取付板３Ａが円筒部分２に固定される。ここで、本実施例の端子取付板３Ａは、ステンレスで構成される。
本実施例では、ケーブル６が取り付けられたコネクタ４を端子取付板３Ａに取り付ける際に、両端にコネクタ４が取り付けられたケーブル６を、端子取付板３Ａの横方向から、切り欠き７に挿入して取り付けることが可能となる。
これにより、本実施例では、両端にコネクタ４が取り付けられているケーブル６を、どのタイミングでも、端子取付板３Ａから着脱可能となる。これにより、両端にコネクタ４が取り付けられたケーブル６を端子取付板３Ｂに後付する際の作業時間を短縮することが可能となる。
【００１１】
また、切り欠き７は、端子取付板３Ａの周辺部に形成するので、端子取付板３Ａの縁にコネクタ４を配置することができる。よって、同じ面積の端子取付板であれば、従来よりも、端子取付板３Ａに取り付けることが可能なコネクタ数を増やすことが可能となる。したがって、コネクタ数が同じであれば、複数のコネクタ４を狭いスペースに取り付けることが可能となる。さらに、切り欠き７の幅を変えることにより、あらゆるケーブルに対応可能である。
なお、前述の説明では、アンテナカバー２０は、断面が円形の円筒状形状の場合について説明したが、これに限定されるものではなく、アンテナカバー２０は、断面が３角形以上の多角形の筒状形状であってもよい。即ち、本実施例の端子取付板３Ａは、円形状、あるいは、多角形状であってもよい。
同様に、前述の説明では、本実施例の端子取付板３Ａを、アンテナカバー２０の下蓋に適用した場合について説明したが、これに限定されるものではなく、本実施例の端子取付板３Ａは、電子機器あるいは電気機器の筐体の端子部に適用可能であることはいうまでもない。
以上、本発明者によってなされた発明を、前記実施例に基づき具体的に説明したが、本発明は、前記実施例に限定されるものではなく、その要旨を逸脱しない範囲において種々変更可能であることは勿論である。
【符号の説明】
【００１２】
１  上蓋
２  円筒部分
３，３Ａ，３Ｂ  端子取付板（下蓋ともいう）
４  コネクタ（または、同軸接線）
５  ケーブルを通すための孔
６  ケーブル
７  ケーブルを横から通すための切り欠き
８，９，１０  ネジ孔
１１  突起部
１３  側面部
１４  突起部
２０  アンテナカバー
２１  取り付け金具
２２  支柱
【図１】
0005389961.tif 000002
【図２】
0005389961.tif 000003
【図３】
0005389961.tif 000004
【図４】
0005389961.tif 000005